(57)【要約】      （修正有）【課題】高層構造物の近傍に存在している下部設備の養生施設と、下部設備の養生施設の構築方法を提供する。【解決手段】高層構造物の近傍に存在している下部設備の養生施設１は、高層構造物を解体したときの重量解体物の荷降ろし作業が下部設備の上部側ではない方向に限定されると共に、高層構造物に十分な落下防止対策が施工されることを前提として、下部設備の天井部分を越える高さを有するように、下部設備の側壁を取り囲むように設置した囲繞脚部２と、この囲繞脚部２の上部に載置した屋根トラス３から構成されている。また、屋根トラス３は、所定の高さを有するように予め組み上げている平盤状の枠組み基礎部と、枠組み基礎部の上面に固定した鋼板により形成している。また、屋根トラス３の鋼板として、万能鋼板材および足場板材を採用している。【選択図】図１９
2012127106.tif 000002
【特許請求の範囲】
【請求項１】
高層構造物を解体したときの重量解体物の荷降ろし作業が下部設備の上部側ではない方向に限定されると共に、高層構造物に十分な落下防止対策が施工されることを前提として、下部設備の天井部分を越える高さを有するように、下部設備の側壁を取り囲むように設置した囲繞脚部と、この囲繞脚部の上部に載置した屋根トラスから構成されていることを特徴とする、高層構造物の近傍に存在している下部設備の養生施設。
【請求項２】
囲繞脚部は、下部設備の低層部において、下部設備の側壁を取り囲むように所定の高さの足場を組み上げ、この足場の上に、予め組み上げている複数の枠組み足場を上方に積み上げて形成している請求項１に記載の高層構造物の近傍に存在している下部設備の養生施設。
【請求項３】
屋根トラスは、所定の高さを有するように予め組み上げている平盤状の枠組み基礎部と、枠組み基礎部の上面に固定した鋼板により形成している請求項１に記載の高層構造物の近傍に存在している下部設備の養生施設。
【請求項４】
屋根トラスの鋼板として、万能鋼板材もしくは足場板材等を採用している請求項３に記載の高層構造物の近傍に存在している下部設備の養生施設。
【請求項５】
下部設備の天井部分を越える高さを有するように、下部設備の側壁を取り囲む囲繞脚部を設置する工程と、囲繞脚部の上部に、予め組み上げている平盤状の枠組み基礎部の上面に鋼板を固定して形成した屋根トラスを載置する工程から成ることを特徴とする、高層構造物の近傍に存在している下部設備の養生施設の構築方法。
【請求項６】
下部設備の天井部分を越える高さを有するように、下部設備の側壁を取り囲む囲繞脚部を設置する工程は、下部設備の低層部において、下部設備の側壁を取り囲むように所定の高さの足場を組み上げる工程と、この足場の上に、予め組み上げている複数の枠組み足場を上方に積み上げていく工程から成る請求項５に記載の高層構造物の近傍に存在している下部設備の養生施設の構築方法。
【発明の詳細な説明】
【技術分野】
【０００１】
高層構造物である、例えば、老巧化した煙突等を解体する場合、煙突の周囲に垂直ネットを設置する等の落下防止対策が施工されるのが一般的である。
【０００２】
本発明は、この様な十分な落下防止対策が施工されている高層構造物を解体する高所作業を実施する場合において、高層構造物の近傍に下部設備が存在するときに、上方からの飛来物の落下を考慮した、高層構造物の近傍に存在している下部設備の養生施設と、下部設備の養生施設の構築方法に関するものである。
【背景技術】
【０００３】
従来における下部設備Ｔの養生施設としては、例えば、図２０・図２１に示すものがある。この養生施設は、例えば、発電所等で使用される大量の液体等を保管するために設置されている隣接した２個のタンクを養生するものである。
【０００４】
高層構造物である、例えば、老巧化した煙突等を解体する高所作業を実施する場合には、大小様々な解体物が落下する可能性があり、落下物として重量物を含む様々な部材が想定される。その為、高層構造物の近傍に存在している下部設備Ｔの養生施設は、重量物を落下物として想定し、非常に堅牢な造りが採用される。
【０００５】
具体的には、図２１・図２２に示すように、タンクの周囲に太い柱材１００を複数立設し、各柱材１００の側面に複数の斜材１０１を固定している。また、各柱材１００の上部においては、複数の横架材１０２を配置している。
【０００６】
そして、図２１・図２２に示すように、タンクの上方に、根太部分１０３を介して、覆工板１０４を載置している。この覆工板１０４は、所定の厚みを有し、非常に重量があることから、これを支える柱材１００や横架材１０２としては、Ｈ鋼等の堅牢な鉄骨部材を用いており、養生施設全体を補強している。また、各柱材１００の外周の全体には、防音パネル１０５を設置している。
【０００７】
この他、全天候型仮設上屋として、例えば、特許文献１に示す養生施設が存在している。この施設は、周囲壁軸を構成する複数組の枠組足場と、小屋組を構成する複数本のトラス梁と、前記周囲壁軸組を覆う養生シートと、前記小屋組を覆う複数枚の下地板および屋根パネルと、前記小屋組の下を走行する天井クレーンとを備えて構成され、前記周囲壁軸組は前記枠組足場を連結ししつ、上下・左右に組み立てて構成され、前記小屋組は前記周囲壁軸組の上端部にトラス梁を架設して構成され、かつ、前記周囲壁軸組に前記養生シートが取り付けられ、前記トラス梁の上に前記下地板および屋根パネルが敷設されている。
【先行技術文献】
【特許文献】
【０００８】
【特許文献１】特開平６−１４６６０９号公報
【発明の概要】
【発明が解決しようとする課題】
【０００９】
しかしながら、上記した図２１・図２２に示す下部設備Ｔの養生施設においては、以下の様な弊害が生じている。
【００１０】
この養生施設は、下部設備Ｔの上方に、根太部分１０３を介して、非常に重量がある覆工板１０４を載置しており、この覆工板１０４を支えるために、柱材１００や横架材１０２として、Ｈ鋼等の堅牢な鉄骨部材を用いていることから、養生施設全体が非常に堅牢で、その建設費用が高額になっていた。
【００１１】
また、大型のクレーンを使用した複数の横架材１０２の吊り上げやその固定に時間を要し、養生施設の構築に長期間を費やしていた。
【００１２】
さらに、養生施設を構成する個々の部材自体に相当の重量があることから、建設の途中において、例えば、各柱材１００の周囲に設置している防音パネル１０５が強い風圧を受けたときに、構成部材の一部が倒壊して、下部設備Ｔに損傷を与える恐れがあった。また、作業者の安全上重量物を取り扱うために危険性が高い。
【００１３】
この様な弊害は、養生施設を構成する部材として、覆工板１０４やＨ鋼等の堅牢な鉄骨部材を用いており、個々の構成部材に非常に重量があることを一因としている。
【００１４】
即ち、従来の養生施設は、落下物として重量物を含む様々な部材を想定していることから、下部設備Ｔの養生施設を構成する部材を強固な重量物で構成せざるを得ないのであるが、下部設備Ｔの上部に重量養生材を設置する養生設置（解体）工事自体が、下部設備Ｔに対する災害を発生させるリスクを増加させる要因となっているのである。
【００１５】
加えて、養生材が重量化することによる特注材の発注と、重量養生材の設置（解体）工事のための工事用重機の大型化等により、工事費用も増加することとなる。
【００１６】
ここで、下部設備Ｔの近傍で、高層構造物である老巧化した煙突等を解体する場合において、下部設備Ｔへの飛来物の落下について考察する。
【００１７】
煙突の解体工事中の、重量解体物の荷降ろし作業は、例えば、３００トン  クローラクレーン旋回方向を、下部設備Ｔの上部側ではない方向に限定させることから、重量解体物が下部設備Ｔに落下する事は考え難い。
【００１８】
また、煙突工事用の足場を煙突に沿って組み立てた後は、煙突を垂直ネット等により覆って落下物対策の養生をすることから、煙突の解体工事中に、軽量解体物が下部設備Ｔ上に落下する可能性も、極めて低いものと想定される。
【００１９】
即ち、煙突を垂直ネット等により覆った後に、何らかの軽量解体物が落下した場合であっても、軽量解体物は垂直ネットの内側に存在することとなる。その為、軽量解体物が垂直ネットを越えて、下部設備Ｔ上に落下する可能性が低いのである。
【００２０】
しかし、解体する高層構造物である煙突に沿って工事用の足場を組み立てるとき（解体も含む）には、煙突自体に落下物対策の養生が存在していないことから、足場の組み立てに使用するクランプ材が落下してしまう可能性は、完全に否定できない。その為、煙突の上部における足場の組み立て作業中における、クランプ材（足場固定用金具…約１Ｋｇの重量を有する）を、下部設備Ｔへの飛来物として想定した。
【００２１】
そして、下部設備Ｔへの飛来物がクランプ材であるならば、養生施設として、従来のように、下部設備Ｔの上方に覆工板１０４を載置する必要はなく、他の部材を利用できることとなる。
【００２２】
即ち、下部設備Ｔへの飛来物をクランプ材に限定することにより、養生施設を構成する部材として、強固な重量物を使用する必要が無くなったのである。
【００２３】
この他、特許文献１に示す養生施設は、悪天候の影響を受けることなく、各種の工事を予定通りに行うことを主たる目的としており、落下物の飛来について、そもそも考慮していない。
【００２４】
具体的には、トラス梁の上に下地板が敷設され、この下地板の上に屋根パネルが敷設されており、下地板は採光可能なように所定間隔おきに敷設され、また、屋根パネルには、採光可能ななまこ板が使用されていることから、例えば、クランプ材（足場固定用金具…約１Ｋｇの重量を有する）が高い位置から落下して屋根パネル等に衝突したときに、クランプ材が屋根パネル等を貫通して、下部設備Ｔ上に落下してしまう可能性がある。
【００２５】
そこで、本発明は如上のような従来存した諸事情に鑑み創出されたもので、例えば、所定の液体を収容している下部設備の近傍で、高層構造物である老巧化した煙突等を解体する場合において、重量解体物の荷降ろし作業を下部設備の上部側ではない方向に限定して、重量解体物が下部設備に落下する事態を防止すると共に、煙突等の周囲に垂直ネットを設置する等の十分な落下防止対策を施工して、軽量解体物が下部設備に落下する事態も防止していることを前提とした、養生施設と、養生施設の構築方法を提供するものである。
【００２６】
具体的には、上方からクランプ材等が落下してきた場合であっても、これを鋼板により受け止めて、下部設備上にクランプ材等が落下してしまう事態の発生を防止すると共に、比較的に薄い鋼板を利用することにより、建設費用の削減と、工事期間の短縮を実現した、高層構造物の近傍に存在している下部設備の養生施設と、下部設備の養生施設の構築方法を提供することを目的とする。
【課題を解決するための手段】
【００２７】
本発明に係る高層構造物の近傍に存在している下部設備の養生施設は、高層構造物を解体したときの重量解体物の荷降ろし作業が下部設備の上部側ではない方向に限定されると共に、高層構造物に十分な落下防止対策が施工されることを前提として、下部設備の天井部分を越える高さを有するように、下部設備の側壁を取り囲むように設置した囲繞脚部と、この囲繞脚部の上部に載置した屋根トラスから構成されていることで、上述した課題を解決した。
【００２８】
また、囲繞脚部は、下部設備の低層部において、下部設備の側壁を取り囲むように所定の高さの足場を組み上げ、この足場の上に、予め組み上げている複数の枠組み足場を上方に積み上げて形成していることで、同じく上述した課題を解決した。
【００２９】
さらに、屋根トラスは、所定の高さを有するように予め組み上げている平盤状の枠組み基礎部と、枠組み基礎部の上面に固定した鋼板により形成していることで、同じく上述した課題を解決した。
【００３０】
また、屋根トラスの鋼板として、万能鋼板材もしくは足場板材等を採用していることで、同じく上述した課題を解決した。
【００３１】
この他、本発明に係る高層構造物の近傍に存在している下部設備の養生施設の構築方法は、下部設備の天井部分を越える高さを有するように、下部設備の側壁を取り囲む囲繞脚部を設置する工程と、囲繞脚部の上部に、予め組み上げている平盤状の枠組み基礎部の上面に鋼板を固定して形成した屋根トラスを載置する工程から成ることで、同じく上述した課題を解決した。
【００３２】
また、下部設備の天井部分を越える高さを有するように、下部設備の側壁を取り囲む囲繞脚部を設置する工程は、下部設備の低層部において、下部設備の側壁を取り囲むように所定の高さの足場を組み上げる工程と、この足場の上に、予め組み上げている複数の枠組み足場を上方に積み上げていく工程から成ることで、同じく上述した課題を解決した。
【発明の効果】
【００３３】
本発明に係る高層構造物の近傍に存在している下部設備の養生施設は、高層構造物を解体したときの重量解体物の荷降ろし作業が下部設備の上部側ではない方向に限定されると共に、高層構造物に十分な落下防止対策が施工されることを前提としている。
【００３４】
即ち、重量解体物の荷降ろし作業を下部設備の上部側ではない方向に限定して、重量解体物が下部設備に落下する事態を防止すると共に、煙突等の周囲に垂直ネットを設置する等の十分な落下防止対策を施工して、軽量解体物が下部設備に落下する事態も防止していることを前提としているのである。
【００３５】
しかし、解体する高層構造物に沿って工事用の足場を組み立てるとき（解体も含む）に、足場の組み立てに使用するクランプ材が落下してくる可能性があることから、下部設備の養生施設を、下部設備の天井部分を越える高さを有するように、下部設備の側壁を取り囲むように設置した囲繞脚部と、この囲繞脚部の上部に載置した屋根トラスから構成することにより、上方からクランプ材等が落下してきた場合であっても、これを屋根トラスにより受け止めて、下部設備に損傷が生じる事態の発生を防止しているのである。
【００３６】
また、本発明においては、下部設備への落下物をクランプ材に限定することにより、下部設備の養生施設を構成する部材を強固な重量物で構成する必要が無く、養生設置（解体）工事を、迅速且つ安全に進行できる。
【００３７】
加えて、養生材が重量化することによる特注材の発注を排除し、重量養生材の設置（解体）工事のために大型の工事用重機を常時使用する必要もないので、全体の工事費用も大幅に削減できる。
【００３８】
また、囲繞脚部は、下部設備の低層部において、下部設備の側壁を取り囲むように所定の高さの足場を組み上げ、この足場の上に、予め組み上げている複数の枠組み足場を上方に積み上げて形成していることから、囲繞脚部を短期間の内に完成させることができる。
【００３９】
また、下部設備の低層部においては、足場を直接的に組み上げ、ある程度高い箇所においては、予め組み上げてユニット化している枠組み足場を積み上げていく。この様に足場の組み上げ作業を分けることにより、高所での作業数を少なくして、工事の安全を確保している。また、全体的に早い工事も可能となっている。
【００４０】
さらに、屋根トラスは、所定の高さを有するように予め組み上げている平盤状の枠組み基礎部と、枠組み基礎部の上面に固定した鋼板により形成していることから、この鋼板により、上方からクランプ材等が落下してきた場合であっても、これを確実に受け止めることができる。
【００４１】
また、屋根トラスの鋼板は、クランプ材等の比較的軽量な物の落下衝撃に耐えられるだけの厚みを有していればよい。例えば、屋根トラスの鋼板として、足場板材等を採用したときには、この足場板材等により、クランプ材が高さ８５メートルである煙突の最上部より落下した場合であっても、これを足場板材等により確実に受け止めて、下部設備上にクランプ材が落下してしまう事態の発生を防止することができる。
【００４２】
本発明においては、養生施設を構成する養生材を選定するために、各種の文献を調査する過程において、「構造物と衝撃挙動と設計法（土木学会）」に定める鋼構造物の設計法（Ｓｔａｎｆｏｒｄ式、ＢＲＬ式）に基づく計算式を用いれば、高所からの落下物に対して、下部養生対象物上の養生鋼板として、何ミリメートル厚の鋼板であれば貫通しない等の概略計算が可能となることを利用し、高所からの落下物に対する鋼板厚を定めることができ、下部養生材に必要とされる鋼板厚を算定することが可能となった。
【００４３】
そして、高層構造物の解体時における落下物を、クランプ材（足場固定用金具…約１Ｋｇの重量を有する）に絞り込むことにより、鋼板が０．６２ミリメートル以上の厚みがあれば、８５メートルの高さからクランプ材が落下ししてきた場合であっても、鋼板を貫通しない事実が判明した。
【００４４】
その為、それ以上の厚みとなる１．２ミリメートル厚の汎用仮設鋼材である万能鋼板材もしくは鋼製足場板材を基本とする、養生材を選定することとしたのである。この様に、軽量鋼材を養生材に用いる事で、養生工事全体に用いる仮設鋼材重量の軽量化が図られ、養生設置(解体)工事及び養生期間中の災害発生リスクの低減を図っているのである。また、養生材の仮設汎用化が図られることとなり、材量費の削減と、大型の工事用重機の使用の低減も実現している。
【００４５】
この他、本発明に係る高層構造物の近傍に存在している下部設備の養生施設の構築方法は、下部設備の天井部分を越える高さを有するように、下部設備の側壁を取り囲む囲繞脚部を設置する工程と、囲繞脚部の上部に、予め組み上げている平盤状の枠組み基礎部の上面に鋼板を固定して形成した屋根トラスを載置する工程から成ることから、養生施設を短期間で完成させて、その建設費用を大幅に削減できる。
【００４６】
また、下部設備の天井部分を越える高さを有するように、下部設備の側壁を取り囲む囲繞脚部を設置する工程は、下部設備の低層部において、下部設備の側壁を取り囲むように所定の高さの足場を組み上げる工程と、この足場の上に、予め組み上げている複数の枠組み足場を上方に積み上げていく工程から成る。この様に足場の組み上げ作業を分けることにより、高所での作業数を少なくして、工事の安全を確保すると共に、全体的に早い工事を可能としている。
【００４７】
さらに、従来のように、下部設備の上方に、非常に重量がある覆工板を載置していないことから、囲繞脚部を、一般的な足場により形成することができる。
【００４８】
また、屋根トラスも比較的に軽量であることから、その構成部材の一部が倒壊して、下部設備に損傷を与える恐れもない。
【図面の簡単な説明】
【００４９】
【図１】下部設備の低層部において、直接的に組み上げる足場の構成を示す斜視図である。
【図２】下部設備の低層部において、直接的に組み上げる足場の構成を示す拡大斜視図である。
【図３】地上において予め組み上げている枠組み足場の構成を示す斜視図である。
【図４】屋根トラスを構成する平盤状の枠組み基礎部の構成を示す斜視図である。
【図５】屋根トラスを構成する平盤状の枠組み基礎部の構成を示す拡大斜視図である。
【図６】平盤状の枠組み基礎部と、枠組み基礎部の上面に固定した鋼板を備えている屋根トラスの構成を示す斜視図である。
【図７】下部設備の低層部において、直接的に組み上げる足場を所定の位置に設置した状態を示す斜視図である。
【図８】下部設備の低層部において、直接的に組み上げる他の足場を、略９０度の角度で設置した状態を示す斜視図である。
【図９】下部設備の低層部において、直接的に組み上げる他の足場を、さらに略９０度の角度で設置した状態を示す斜視図である。
【図１０】下部設備の低層部において、下部設備の側壁を取り囲むように所定の高さの足場を組み上げた状態を示す斜視図である。
【図１１】クレーン等を用いて、既設の足場に積み上げる枠組み足場を吊り上げている状態を示す斜視図である。
【図１２】既設の足場に、枠組み足場を積み上げた状態を示す斜視図である。
【図１３】既設の足場に、枠組み足場を連続して積み上げて、下部設備の中間部分の側壁を取り囲んだ状態を示す斜視図である。
【図１４】クレーン等を用いて、既設の枠組み足場に積み上げる他の枠組み足場を吊り上げている状態を示す斜視図である。
【図１５】既設の枠組み足場に、他の枠組み足場を積み上げた状態を示す斜視図である。
【図１６】既設の枠組み足場に、他の枠組み足場を連続して積み上げて、下部設備の天井部分を越える高さを有するように下部設備を取り囲んだ状態とし、囲繞脚部を完成させた状態を示す斜視図である。
【図１７】囲繞脚部の上部に所定のＨ型鋼を等間隔に複数配置するために、枠組み足場の上に布板を配置した状態を示す斜視図である。
【図１８】クレーン等を用いて屋根トラスを吊り上げ、囲繞脚部の上部に屋根トラスを載置する状態を示す斜視図である。
【図１９】クレーン等を用いて屋根トラスを吊り上げ、囲繞脚部の上部に屋根トラスを載置した状態を示す斜視図である。
【図２０】下部設備が並設されている場合において、それぞれの下部設備で枠組み足場により囲繞脚部を形成し、それぞれの囲繞脚部の上部に屋根トラスをそれぞれ載置し、タンクの養生施設を個別に完成させている構成を示す斜視図である。
【図２１】従来における下部設備の養生施設の構成を示す側面図である。
【図２２】従来における下部設備の養生施設の構成を示す平面図である。
【発明を実施するための形態】
【００５０】
以下に、図面を参照して、本発明を実施するための形態を詳細に説明する。
本発明に係る高層構造物の近傍に存在している下部設備Ｔの養生施設１は、高層構造物を解体したときの重量解体物の荷降ろし作業が、下部設備Ｔの上部側ではない方向に限定されると共に、高層構造物に十分な落下防止対策が施工されることを前提としている。
【００５１】
この下部設備Ｔの養生施設１は、図１９・図２０に示すように、下部設備Ｔとして、例えば、タンクの天井部分を超える高さを有するように、タンクの側壁を取り囲むように設置した囲繞脚部２と、この囲繞脚部２の上部に載置した屋根トラス３から構成されている。
【００５２】
以下、下部設備Ｔをタンクとして記載するが、発明の対象をタンクに限定するものではなく、下部設備Ｔには、その他にも燃料油や水を運ぶ配管類、倉庫、事務所等の構造物等を広く含んでいる。
【００５３】
タンクの養生施設１を構成する囲繞脚部２は、図１・図２に示すように、囲繞脚部の上部に所定のＨ型鋼を等間隔に複数配置するＴの低層部において、下部設備Ｔの側壁を取り囲むように直接的に組み上げる所定の高さの足場５と、図３に示すように、足場５の上に積み上げる、予め組み上げている複数の枠組み足場５０により形成されている。
【００５４】
地上に直接組み上げて下部設備Ｔの側壁を取り囲むように設置する足場５は、図１・図２に示すように、例えば、３段となるように足場ユニット６・７・８を積み重ね、横方向に所定の長さを有するように形成されている。
【００５５】
下段の足場ユニット６は、２本の支柱９を、横杆１０により固定している。また、固定した２本の支柱９を、等間隔に複数並置し、交差状の斜材１１を取り付けて、２本の支柱９同士を連続的に固定している。
【００５６】
また、下段の足場ユニット６を構成する２本の支柱９同士の下端部には、ジャッキベース部１２が設けられている。このジャッキベース部１２は、例えば、ハンドルを有する回転操作部を備えている。このジャッキベース部１２により、下部設備Ｔの周囲に足場を組み立てる際の、不陸の調整を可能としている。
【００５７】
回転操作部の内周面には、雌ネジが設けられている。また、回転操作部には、四角形状の接地板１３に固定した棒状部材が進退自在に取り付けられている。棒状部材は、基端部側に雄ネジを設けており、この棒状部材の雄ネジを、回転操作部の内周面に設けている雌ネジに螺合させて、回転操作部に棒状部材が進退自在に取り付けられている。
【００５８】
さらに、２本の支柱９同士の上端部には、円柱状の突出片を設けている。この突出片は、支柱９自体の径よりも小径に形成されている。
【００５９】
中段の足場ユニット７と上段の足場ユニット８は、基本的に下段の足場ユニット６と同様に形成されていることから、同一の構成には、同様の符号を付すことにより、その詳細な説明を省略する。
【００６０】
相違点としては、中段の足場ユニット７の２本の支柱９同士の下端部には、ジャッキベース部１２は存在せず、所定の取り付け穴を設けている。そして、ジャッキベース部１２を備えている下段の足場ユニット６を構成する２本の支柱９の突出片を、中段の足場ユニット７の２本の支柱９の取り付け穴に挿入して、下段の足場ユニット６の上に、中段の足場ユニット７を積み重ねるのである。
【００６１】
また、下段の足場ユニット６と中段の足場ユニット７の横杆上には、作業用の布板１４が固定されている。
【００６２】
さらに、上段の足場ユニット８は、布板１４が存在しない点を除いて、中段の足場ユニット７と同様に形成されており、中段の足場ユニット７を構成する２本の支柱９の突出片を、上段の足場ユニット８の２本の支柱９の取り付け穴に挿入して、中段の足場ユニット７の上に、上段の足場ユニット８を積み重ねるのである。この上段の足場ユニット８を構成する２本の支柱９同士の上端部には、円柱状の突出片１５を設けている。
【００６３】
そして、地上に直接組み上げて設置する足場５（足場ユニット６・７・８）の上には、図３に示す枠組み足場５０（足場ユニット６・７・８）を積み上げて行く。この枠組み足場５０（足場ユニット６・７・８）は、予め全体を組み上げてユニット化されたものである。
【００６４】
枠組み足場５０（足場ユニット６・７・８）は、基本的に地上に直接組み上げて設置する足場５（足場ユニット６・７・８）と同様に形成されていることから、同一の構成には、同様の符号を付すことにより、その詳細な説明を省略する。
【００６５】
相違点としては、他の枠組み足場５０（足場ユニット６・７・８）において、下段の足場ユニット６の２本の支柱９同士の下端部には、ジャッキベース部１２は存在せず、所定の取り付け穴を設けている。
【００６６】
そして、地上に直接組み上げて設置する足場５（足場ユニット６・７・８）を構成する２本の支柱９の突出片１５を、枠組み足場５０（足場ユニット６・７・８）の２本の支柱９の取り付け穴に挿入して、地上に設置する足場５（足場ユニット６・７・８）の上に、他の枠組み足場５０（足場ユニット６・７・８）を積み重ねるのである。
【００６７】
加えて、枠組み足場５０（足場ユニット６・７・８）を構成する２本の支柱９の突出片１５を、他の枠組み足場５０（足場ユニット６・７・８）の２本の支柱９の取り付け穴に挿入して、枠組み足場５０（足場ユニット６・７・８）の上に、他の枠組み足場５０（足場ユニット６・７・８）をさらに積み重ねるのである。
【００６８】
囲繞脚部２の上部に載置する屋根トラス３は、図４・図６に示すように、所定の高さを有するように予め組み上げている平盤状の枠組み基礎部３Ａと、枠組み基礎部３Ａの上面に固定した鋼板３Ｂにより形成している。
【００６９】
枠組み基礎部３Ａは、図４・図５に示すように、横長に形成された複数の枠体２０を所定の間隔を開けて並置し、それぞれの枠体２０同士を連結して構成されている。
【００７０】
個々の枠体２０は、長尺な２本の横フレーム２１の間に、縦材２２と斜材２３を連続して設けている。また、２本の横フレーム２１の両端部には、垂設杆２４が固定されている。この垂設杆２４の上下の両端部には、円形の当接部材２５が設けられている。
【００７１】
そして、図５に示すように、隣り合う個々の枠体２０において、垂設杆２４同士は、交差した斜材により形成された垂直ブレース２６により連結されている。また、外側に位置している、それぞれ２個の枠体２０における横フレーム２１同士は、交差した斜材により形成された水平ブレース２７により連結されている。
【００７２】
さらに、外側に位置している、それぞれ２個の枠体２０の間には、２個の中間の枠体２０が存在しているが、基本的に、全ての枠体２０を形成している横フレーム２１同士を連続的に固定する所定の長さの接続フレーム２８・２９を介して、外側の２個の枠体２０・中間の２個の枠体２０・外側の２個の枠体２０が、等間隔に固定されている。
【００７３】
接続フレーム２８・２９同士は、所定の位置で交差しており、部分的に水平ブレースを形成している。
【００７４】
一方、図６に示すように、枠組み基礎部３Ａの上面に固定する鋼板３Ｂは、略１．２ミリメートルの厚みを有するように形成されており、長方形の複数の板片を個々に載置して、枠組み基礎部３Ａの上面全体を覆うように固定されている。
【００７５】
鋼板３Ｂは、クランプ材が高さ８５メートルである煙突の最上部より落下した場合を想定すると、０．６２ミリメートルの厚みを有する鋼板３Ｂで養生すれば、貫通しない計算結果が得られている。このことから、鋼板３Ｂとして、建設工事等で一般的に使用されている、１．２ミリメートルの厚みを有する仮設鋼材（万能鋼板材もしくは鋼製足場板材）を使用することとした。
【００７６】
以下に、高層構造物の近傍に存在している下部設備Ｔの養生施設１の構築方法を説明する。
【００７７】
この構築方法は、下部設備Ｔの天井部分を越える高さを有するように、下部設備Ｔの側壁を取り囲む囲繞脚部２を設置する工程と、囲繞脚部２の上部に、予め組み上げている平盤状の枠組み基礎部３Ａの上面に鋼板３Ｂを固定して形成した屋根トラス３を載置する工程から成る。
【００７８】
また、下部設備Ｔの天井部分を越える高さを有するように、下部設備Ｔの側壁を取り囲む囲繞脚部２を設置する工程は、下部設備Ｔの低層部において、下部設備Ｔの側壁を取り囲むように所定の高さの足場５（足場ユニット６・７・８）を組み上げる工程と、この足場５（足場ユニット６・７・８）の上に、予め組み上げている複数の枠組み足場５０（足場ユニット６・７・８）を上方に積み上げていく工程から成る。
【００７９】
具体的には、まず、図７に示すように、タンクの周囲において、地上に足場５（足場ユニット６・７・８）を直接組み上げる。
【００８０】
次に、図８に示すように、足場５（足場ユニット６・７・８）に対して、略９０度の角度で他の足場５（足場ユニット６・７・８）を組み上げる。
【００８１】
次に、図９に示すように、足場５（足場ユニット６・７・８）に対して、さらに略９０度の角度で他の足場５（足場ユニット６・７・８）を組み上げ、最終的に、図１０に示すように、複数の足場５（足場ユニット６・７・８）により、略四角形の枠を形成するように、タンクの地上近辺の側壁を取り囲んだ状態とする。
【００８２】
次に、図１１に示すように、クレーン等を用いて枠組み足場５０（足場ユニット６・７・８）を吊り上げ、図１２に示すように、既設の足場５（足場ユニット６・７・８）の上に枠組み足場５０（足場ユニット６・７・８）を積み上げる。
【００８３】
次に、クレーン等を用いて他の枠組み足場５０（足場ユニット６・７・８）を吊り上げ、既設の足場５（足場ユニット６・７・８）の上に枠組み足場５０（足場ユニット６・７・８）を連続して積み上げて、図１３に示すように、タンクの中間部分の側壁を取り囲んだ状態とする。
【００８４】
次に、図１４に示すように、クレーン等を用いて枠組み足場５０（足場ユニット６・７・８）を吊り上げ、図１５に示すように、既設の枠組み足場５０（足場ユニット６・７・８）の上に枠組み足場５０（足場ユニット６・７・８）を積み上げる。
【００８５】
次に、クレーン等を用いて他の枠組み足場５０（足場ユニット６・７・８）を吊り上げ、既設の枠組み足場５０（足場ユニット６・７・８）の上に枠組み足場５０（足場ユニット６・７・８）を連続して積み上げて、図１６に示すように、タンクの天井部分を越える高さを有するように、タンクを取り囲んだ状態とし、複数の足場５と枠組み足場５０により囲繞脚部２を完成させる。
【００８６】
次に、図１７に示すように、枠組み足場５０（足場ユニット６・７・８）の上に布板３０を配置し、囲繞脚部２の上部に所定のＨ型鋼を等間隔に複数配置する。
【００８７】
次に、図１８に示すように、クレーン等を用いて屋根トラス３を吊り上げ、図１９に示すように、囲繞脚部２の上部に配置した複数のＨ型鋼の上に屋根トラス３載置し、タンクの養生施設１を完成させる。
【００８８】
尚、図２０に示すように、タンクが並設されている場合には、それぞれのタンクにおいて、天井部分を越える高さを有するように、複数の足場５と枠組み足場５０により囲繞脚部２を完成させ、それぞれの囲繞脚部２の上部に配置したＨ型鋼の上に屋根トラス３をそれぞれ載置し、タンクの養生施設１を個別に完成させる。
【００８９】
尚、本発明は、前記した実施の形態に限定されるものではなく、本発明の目的を達成できる範囲での改良・変形等は、本発明に全て包含されるものである。
【産業上の利用可能性】
【００９０】
本発明は、十分な落下防止対策が施工されている高層構造物を解体する高所作業を実施する場合において、高層構造物の近傍に下部設備が存在するときに、上方からの飛来物の落下を考慮した、高層構造物の近傍に存在している下部設備の養生施設として実施されることの他に、様々な建造物における養生施設と、その構築方法として、幅広く利用することができる。
【符号の説明】
【００９１】
Ｔ…下部設備
１…下部設備の養生施設
２…囲繞脚部
３…屋根トラス
３Ａ…枠組み基礎部
３Ｂ…鋼板
５…地上に設置する枠組み足場
５０…他の枠組み足場
６…足場ユニット
７…足場ユニット
８…足場ユニット
９…支柱
１１…斜材
１２…ジャッキベース部
１３…接地板
１４…布板
１５…突出片
２０…枠体
２１…横フレーム
２２…縦材
２３…斜材
２４…垂設杆
２５…当接部材
２６…垂直ブレース
２７…水平ブレース
２８…接続フレーム
２９…接続フレーム
３０…布板
１００…柱材
１０１…斜材
１０２…横架材
１０４…覆工板
１０５…防音パネル
１０３…根太部分
【図１】
2012127106.tif 000003
【図２】
2012127106.tif 000004
【図３】
2012127106.tif 000005
【図４】
2012127106.tif 000006
【図５】
2012127106.tif 000007
【図６】
2012127106.tif 000008
【図７】
2012127106.tif 000009
【図８】
2012127106.tif 000010
【図９】
2012127106.tif 000011
【図１０】
2012127106.tif 000012
【図１１】
2012127106.tif 000013
【図１２】
2012127106.tif 000014
【図１３】
2012127106.tif 000015
【図１４】
2012127106.tif 000016
【図１５】
2012127106.tif 000017
【図１６】
2012127106.tif 000018
【図１７】
2012127106.tif 000019
【図１８】
2012127106.tif 000020
【図１９】
2012127106.tif 000021
【図２０】
2012127106.tif 000022
【図２１】
2012127106.tif 000023
【図２２】
2012127106.tif 000024